(57)【要約】【課題】容易かつ簡単に手袋表面に接触することなく手袋を脱ぐ。【解決手段】医療用手袋１が、手袋本体部２と、手袋本体部２に連結されたカフ部３とを備える。カフ部３は、外側に折り返されて折り返し部４を形成している。折り返し部４の端縁４ａにこの端縁４ａから突出する突出部５を設け、突出部５に指を挿入する孔６が形成されている。【選択図】図１
2016121425.tif 000002
【特許請求の範囲】
【請求項１】
手袋本体部と、
手袋本体部に連結されたカフ部と、を備え、
前記カフ部は、外側に折り返されて折り返し部を形成し、前記折り返し部の端縁にこの端縁から手袋本体部側へ突出する突出部を設け、前記突出部に指を挿入する孔が形成されている
ことを特徴とする接触感染を予防する医療用手袋。
【請求項２】
前記折り返し部の折り返し長さは、１ｃｍ以上３ｃｍ以下である
ことを特徴とする請求項１に記載の接触感染を予防する医療用手袋。
【請求項３】
前記突出部の長さは、２ｃｍ以上３ｃｍ以下である
ことを特徴とする請求項１又は２に記載の接触感染を予防する医療用手袋。
【請求項４】
前記孔は、直径１．５ｃｍ以上２ｃｍ以下の円形形状を有する
ことを特徴とする請求項１乃至３に記載の接触感染を予防する医療用手袋。
【発明の詳細な説明】
【技術分野】
【０００１】
本発明は、手袋を脱ぐ際に起こり得る接触感染を予防する医療用手袋に関する。
【背景技術】
【０００２】
従来の医療用手袋は、患者さんの診察及び治療などの医療行為を行う際に、手に直接病原体、例えばエボラ出血熱等の病原体が付着することを防いでいたが、手袋を脱ぐ際に手袋に付着した病原体が医療従事者の肌に付着する危険を防ぐことは難しい構造である。そこで、特許文献１のような、手袋のカフ部にグリップ補助を設け、このグリップ補助を摘んで手袋を脱ぐ技術が開発されている。
【先行技術文献】
【特許文献】
【０００３】
【特許文献１】特表２００７−５０８４６９号
【発明の概要】
【発明が解決しようとする課題】
【０００４】
ところが、特許文献１の方法では、カフ部の外面にグリップ補助が設けられており、手袋を脱ぐ際、このグリップ補助を摘んで手袋を脱いだとしても、病原体が肌に接触する可能性は排除できない。
【０００５】
本発明は、このような点を考慮してなされたものであり、病原体が手に接触することなく手袋を容易かつ簡単に脱ぐことができる接触感染を予防する医療用手袋を提供することを目的とする。
【課題を解決するための手段】
【０００６】
本発明による接触感染を予防する医療用手袋は、
手袋本体部と、
手袋本体部に連結されたカフ部と、を備え、
前記カフ部は、外側に折り返されて折り返し部を形成し、前記折り返し部の端縁にこの端縁から突出する突出部を設け、前記突出部に指を挿入する孔が形成されている。
【０００７】
本発明による接触感染を予防する医療用手袋において、
前記折り返し部の折り返し長さは、１ｃｍ以上３ｃｍ以下であってもよい。
【０００８】
本発明による接触感染を予防する医療用手袋において、
前記突出部の長さは、２ｃｍ以上３ｃｍ以下であってもよい。
【０００９】
本発明による接触感染を予防する医療用手袋において、
前記孔は、直径１．５ｃｍ以上２ｃｍ以下の円形形状を有してもよい。
【発明の効果】
【００１０】
本発明によれば、容易かつ簡単に手袋表面に接触することなく手袋を脱ぐことができる。
【図面の簡単な説明】
【００１１】
【図１】図１は、本発明による接触感染を予防する医療用手袋の全体図である。
【図２】図２は、本発明による接触感染を予防する医療用手袋を脱ぐ手順を示す図である。
【図３】図３は、本発明による接触感染を予防する医療用手袋を脱ぐ手順を示す図である。
【図４】図４は、本発明による接触感染を予防する医療用手袋を脱ぐ手順を示す図である。
【発明を実施するための形態】
【００１２】
以下、図面を参照して本発明の一実施形態について説明する。図１は、本発明による接触感染を予防する医療用手袋の全体図であり、図２乃至図４は本発明による接触感染を予防する医療用手袋を脱ぐ手順を示す図である。
【００１３】
図１に示すように、接触感染を予防する医療用手袋１は、手袋本体部２と、この手袋本体部２に連結されたカフ部３とを備えている。このうちカフ部３は、手首から約８ｃｍの部分で外側に折り返されて折り返し部４を形成し、そこに手袋を固定する目的で輪状のゴムの帯を入れる。この折り返し部４の端縁４ａに折り返し部４の端縁４ａから手袋本体部２側へ突出する突出部５が設けられている。この突出部５は、折り返し部４の端縁４ａから手袋本体部２側へ突出されているため、折り返し部４の領域より外方に位置している。そしてこのように、折り返し部４の端縁４ａから手袋本体部２側へ突出する突出部５に孔６を設けることにより、折り返し部４と干渉することなく、突出部５の孔６内に容易に指を挿入することができる。
【００１４】
接触感染を予防する医療用手袋１は、手袋本体部２とカフ部３とが一体となっており、医療用手袋1は、全体として一般的な医療用手袋の材料、例えばゴムからなる。
【００１５】
医療用手袋1のうち、手袋本体部２は、一般的な手袋の形状を有する。すなわち手の各指と、手のひら及び手の甲と、手首とを覆う形状である。
【００１６】
また、カフ部３は、上述のように、外側に折り返された折り返し部４を有し、折り返し部４の端縁４ａには折り返し部４の端縁４ａから突出する突出部５が設けられ、突出部５は、孔６を有している。折り返し部４の折り返し長さは、１ｃｍ以上３ｃｍ以下であることが好ましく、突出部の長さは、２ｃｍ以上３ｃｍ以下であることが好ましい。また、孔は、直径１．５ｃｍ以上２ｃｍ以下の円形形状を有することが好ましい。折り返し部４がこのような形状であれば、医療用手袋１の装着及び使用時において折り返し部４が作業の邪魔になることなしに、必要な機能を果たすことができる。
【００１７】
次に、図２乃至図４を参照して、このような構成からなる本実施の形態の作用、すなわち医療用手袋１を脱ぐ手順を説明する。なお、説明の簡易化のため、「右手」「左手」という呼称を用いるが、これは実施の形態を限定するものではなく、互いに逆の手で行っても構わない。また説明における区別のために、左右それぞれの手袋について、右手１０Ｒのものには“Ｒ”、左手１０Ｌのものには“Ｌ”の符号を付け加える。ここで、医療行為によって医療用手袋１の表面は、病原体、例えばエボラ出血熱等の病原体に汚染されている可能性があるので、医療用手袋１の表面に直接手及び皮膚を触れない点に留意する。
【００１８】
まず図２のように、右手１０Ｒで、左手１０Ｌの手袋の突出部５Ｌの孔６Ｌに任意の指（図２では人差し指）を入れて引っ張ることにより、カフ部３Ｌのうち、折り返し部４Ｌが手袋本体部２Ｌ側へ引っ張られて、手袋本体部２Ｌの半分程度が左手１０Ｌから脱げる。このとき折り返し部４Ｌがカフ部３Ｌから予め折り返されているため、この折り返し部４Ｌとともに手袋本体部２Ｌも折り返されて、手袋本体部２Ｌが捲れ上がり、カフ部３Ｌの裏面全域および手袋本体部２Ｌの裏面のうち半分程度の領域が露出する。このとき、手袋本体部２Ｌの表面はカフ部３Ｌおよび手袋本体部２Ｌの捲れ上がった部分に覆われるため、手袋本体部２Ｌの表面は外方へ露出していない。
【００１９】
次に図３のように、左手１０Ｌで、右手１０Ｒの手袋の突出部５Ｒの孔６Ｒに任意の指（図３では人差し指）を入れて引っ張ることにより、カフ部３Ｒのうち、折り返し部４Ｒが手袋本体部２Ｒ側へ引っ張られる。その後、更に突出部５Ｒの孔６Ｒを引っ張ることにより、手袋１Ｒを完全に脱ぐことができる。こうして右手１０Ｒが汚染領域に触れることなく手袋１Ｒを脱ぐことができる。このとき、上述の左手１０Ｌの場合と同様に、折り返し部４Ｒがカフ部３Ｒから予め折り返されているため、この折り返し部４Ｒとともに手袋本体部２Ｒも折り返されて、手袋本体部２Ｒが捲れ上がり、カフ部３Ｒの裏面全域および手袋本体部２Ｒの裏面全域が露出する。このとき、手袋本体部２Ｒの表面はカフ部３Ｒおよび手袋本体部２Ｒの捲れ上がった部分に覆われるため、手袋本体部２Ｒの表面は外方へ露出していない。
【００２０】
最後に、図４のように、露出している手袋１Ｌの裏面から右手１０Ｒの指を入れて手袋１Ｌの汚染されていない部分を掴み、手袋１Ｌを裏返しながら左手１０Ｌを引き抜くことで、手袋１Ｌの残りを脱ぐことができる。こうして左手１０Ｌも汚染領域に触れることなく手袋１Ｌを脱ぐことができる。このとき、右手１０Ｒの指が直接接触するのは、上述したように露出した裏面、すなわち汚染されていない領域であるため、右手１０Ｒの指が汚染されることはない。
【００２１】
以上のような手順の脱ぎ方をすれば、左右両方の手１０Ｌ，１０Ｒが汚染された面に接触することなく手袋を脱ぐことができる。更に左右両方の手袋１Ｌ，１Ｒが共に汚染された表面がカフ部３および手袋本体部２の捲れ上がった部分に覆われ、裏面のみを露出した状態で残るので、後の手袋の処理においても汚染された面に接触する危険性が少なくなる。
【００２２】
以上のように、本実施の形態における医療用手袋１は、手袋本体部２と、カフ部３を備える。カフ部３は外側に折り返されており、折り返し部４となっている。折り返し部４の端縁４ａには、折り返し部４の端縁から突出する突出部５が設けられている。突出部５は、孔６を有している。これにより、容易かつ簡単に手袋表面に接触することなく手袋を脱ぐことができる。
【００２３】
なお、上述した実施の形態に対して様々な変更を加えることが可能である。
【符号の説明】
【００２４】
１，１Ｌ，１Ｒ    医療用手袋
２，２Ｌ，２Ｒ    手袋本体部
３，３Ｌ，３Ｒ    カフ部
４，４Ｌ，４Ｒ    折り返し部
４ａ              端縁
５，５Ｌ，５Ｒ    突出部
６，６Ｌ，６Ｒ    孔
１０Ｌ            左手
１０Ｒ            右手
【図１】
2016121425.tif 000003
【図２】
2016121425.tif 000004
【図３】
2016121425.tif 000005
【図４】
2016121425.tif 000006